【手続補正書】
【提出日】平成15年7月29日(2003.7.29)
【手続補正１】
【補正対象書類名】明細書
【補正対象項目名】全文
【補正方法】変更
【補正の内容】
【発明の名称】冷却塔
【特許請求の範囲】
【請求項１】乾き通路と湿り通路を混在してなる充填体の上端で、外気取入口寄りには、充填体側に散布水を案内するための散布水案内体が外気通路を横切る方向で配置されており、この散布水案内体は扁平な板材からなることを特徴とする冷却塔。
【請求項２】充填体は多段積みされており、最上段の充填体は請求項１記載の充填体としてあることを特徴とする請求項１記載の冷却塔。
【請求項３】前記散布水案内体は薄肉で細幅な条片からなることを特徴とする請求項１又は３記載の冷却塔。
【請求項４】前記散布水案内体は水滴飛散防止材を兼ねていることを特徴とする請求項１、２又３記載の冷却塔。
【請求項５】前記散布水案内体は非透水材からなることを特徴とする請求項１、２、３又は４記載の冷却塔。
【発明の詳細な説明】
【０００１】
【発明の属する技術分野】
この発明は冷却塔に関する。
【０００２】
【従来の技術】
この種の冷却塔はこの出願以前において種々開発されたものが市場に見受けられ、特開昭６１−１８６７８２号、特開昭６１−７６８８０号、特開平３−２３００９３号公報に白煙発生防止型の冷却塔が記載されている。
【０００３】
【発明が解決しようとする課題】
前記従来技術の冷却塔においては、白煙発生量を調整するために、上下開閉可能なシール板又は水平軸周りに翻転する蓋が配置されているが、その機構が複雑であるとともに、空気専用通路に水滴が混入し、所望の乾き空気が発生しない場合があり、かつ、蓋シール板に衝突した冷却水の水滴が排気口よりキャリイオーバーするおそれがある。
この発明は、白煙の発生を防止すると共に水滴のキャリイオーバーをなくした冷却塔を提供することを目的とする。
【０００４】
【課題を解決するための手段】
前記課題を解決するために、特定発明は乾き通路と湿り通路を混在してなる充填体の上端で、外気取入口寄りには、充填体側に散布水を案内するための散布水案内体が外気通路を横切る方向で配置されており、この散布水案内体は扁平な板材からなることを特徴とする冷却塔としてある。
【０００５】
前記課題を解決するために、前記冷却塔における充填体は多段積みされており、最上段の充填体は請求項１記載の充填体としてあることを特徴とする。
【０００６】
前記課題を解決するために、前記冷却塔における前記散布水案内体は薄肉で細幅な条片からなることを特徴とする。
【０００７】
前記課題を解決するために、前記冷却塔における前記散布水案内体は水滴飛散防止材を兼ねていることを特徴とする。
【０００８】
前記課題を解決するために、前記冷却塔における前記散布水案内体は非透水材からなることを特徴とする。
【０００９】
【発明の実施の形態】
実施の形態１
請求項１、２、３、４、５記載の発明を含む代表的な実施の形態を説明する。図１乃至図３においてＡは両側吸込み式の直交流式冷却塔であり、乾き通路１０と湿り通路１１を混在してなる充填体Ｂの上端で、外気取入口Ｃと排気口Ｄ寄りには、充填体側に散布水を案内するための散布水案内体２０が外気通路を横切る方向で配置されており、この散布水案内体２０は扁平な板材からなる。
前記充填体Ｂは多段積みされており、各段の充填体Ｂに前記散布水案内体２０が配置されている。
前記乾き通路１０は、断面∩字型の充填板１２からなる（図３参照）。
【００１０】
具体的には、前記乾き通路１０は２枚の充填板１２の上端にわたり帽子体３０を冠せて接着してなる（図３参照）。
前記充填体側に前記散布水案内体２０は薄肉で細幅な条片からなり、その幅が約１００ｍｍで厚さが約１５ｍｍとしてあり、水滴飛散防止体を兼ねている。
前記散布水案内体２０は非透水材からなる。
前記充填体Ｂにおける乾き通路１０の湿り通路１１に対する比率は下段ほど低く設定されている。例えば、最上段における比率１：４の時、次段の比率は１：７のようにする。
前記帽子体３０は断面∩形の長尺体で（図１、図２参照）、その両側辺は各々一対の平行な脚片３０ａ、３０ｂからなり、一対の脚片３０ａと３０ｂ間に充填板１２の上端が挿入自在としてあり、その大きさは、全高さが約１５ｍｍで、その幅が約２０ｍｍとしてあり、合成樹脂製としてある。
【００１１】
この形態の冷却塔Ａの中間期、冬期の作用を次に説明する。
この冷却塔Ａの散布水装置Ｅから最上段の充填体Ｂ上に散布水を散布すると、湿り通路１１にのみ散布水が流れ、この湿り通路１１を通る空気流と散布水は直接接触し、散布水は冷却されるとともに空気流は湿り空気となり排気口Ｄ側へ流れる。
また乾き通路１０内は空気流のみが流れ、温度の高い散布水により、間接的にこの空気流は加温され、乾き空気となり排気口Ｄ側へ流れる。
この乾き空気と湿り空気が混合した状態で過飽和空気とならずに、即ち白煙を伴わずに外気に排出される。
【００１２】
各段の充填体Ｂ上に流下する散布水はその外気取入口Ｃ及び排気口Ｄ寄りに配置した前記散布水案内体２０により、充填体Ｂの湿り通路１１側へ案内され、冷却塔Ａの外気取入口Ｃ及び排気口Ｄから外方へ飛散することはない。
乾き通路１０の上端は前記帽子体３０で常時閉じた状態にあるため、従来のようなシール板の開閉機構、蓋を翻転するためのリンク機構を配置する必要がなく、
構造が簡単化し、保守、管理が容易となる。
前記前記散布水案内体２０は、非透水性であるため、この充填体Ｂ側に前記散布水案内体２０から散布水が外部へ溢水することを未然に防止できる。
【００１３】
また、乾き通路１０の湿り通路１１に対する比率を下段ほど低く設定することにより、夏期における冷却能力不足を解消できる。
なお、前記直交流式冷却塔Ａは片側吸込み式のもの（図５参照）でもこの発明としては同じである。
【００１４】
実施の形態２
実施の形態１と異なる事項は、前記帽子体３０は充填板１２の上端に沿い摺動自在で、冷却塔外気取入口Ｃを形成する隣接する上下のルーバー板１３間を通して交換自在としてある（図４参照）。
【００１５】
その他は、実施の形態１と同一の符号のものは、同一の構成、作用をなす。
実施の形態１と異なる作用は次の通りである。
乾き空気の発生場所を交換する時には、先ず、帽子体３０を充填板１２の上端に沿い摺動させ、冷却塔外気取入口Ｃを形成する隣接する上下の合成樹脂製横ルーバー板１３間を通して引出し、その設置場所を変換することで各段での乾き空気の発生場所を随時変更できる（図６参照）。
【００１６】
また、乾き空気の発生量を増減（変更）したい場合には、全段における帽子体３０の設置個数を増減させ、乾き通路１０の数を増減させて、乾き空気の発生量を増減（変更）させる。
その他の作用は実施の形態１と同じである。
【００１７】
【発明の効果】
特定発明である請求項１記載の発明においては、四季を通して、前記充填体側に前記散布水案内体により、散布水の全量を湿り通路へ案内でき、水滴のキヤリイオーバーを防止できるとともに、中間期、冬期において白煙の発生を防止できる。
【００１８】
請求項２記載の発明においては、請求項１記載の発明の効果を、多段積みした大型冷却塔でも発揮できる。
【００１９】
請求項３記載の発明においては、請求項１乃至２記載の発明の効果に加えて、前記散布水案内体を扁平化でき、冷却塔の高さを低く抑えることができる。
【００２０】
請求項４記載の発明においては、請求項１乃至３記載の発明の効果に加えて、前記散布水案内体により確実に散布水のキャリイオーバーを防止できる。
【００２１】
請求項５記載の発明においては、請求項１乃至４記載の発明の効果に加えて、前記散布水案内体は非透水材からなるため、仮に前記散布水案内体に水滴が付着しても、前記散布水案内体から水滴はにじみ出ず、前記外気取入口及び排気口から散布水が水滴となってキャリイオーバーすることをより確実に防止できる。
【図面の簡単な説明】
【図１】実施の形態１の概略正面図である。
【図２】図１の帽子体の側面図である。
【図３】図１の側面図である。
【図４】実施の形態２の概略正面図である。
【図５】図１の変形例を示す概略正面図である。
【図６】図４の帽子体の取外し状態を説明する図である。
【符号の説明】
Ａ    冷却塔
２０    散布水案内体
３０    帽子体